(57)【特許請求の範囲】
【請求項１】
ディスク状情報記録媒体を内部に収納し、記録，再生装置の情報の読み取り及び書き込み用のヘッドが挿入されるヘッド挿入穴と前記ディスク状情報記録媒体を回転させる記録，再生装置の駆動用スピンドルが挿入されるスピンドル挿入穴とを有する互いに対向する上下一対のハーフシェルからなり、前記ハーフシェルの一側縁に沿って摺動可能に設けられたスライダーと、該スライダーを一方向に付勢する弾性部材と、該スライダーに固着され、前記ヘッド挿入穴とスピンドル挿入穴とを開閉する、断面が略コの字形をしたシャッターとを備えたディスクカートリッジにおいて、前記スライダーは本体部の長手方向の閉方向側端部に前記シャッターを開閉するための記録，再生装置の開閉ピンと係合する係合突起部と前記閉方向側端部のディスク状情報記録媒体側に脚部を介して突出した突出部とが形成され、前記スライダーの本体部の長手方向の開方向側端部に前記弾性部材の端部係合部を挿入すると共に、前記端部係合部と繋がっている前記弾性部材の腕部が通過可能な割り溝を有する挿入孔を形成する略コの字形の壁があり、前記略コの字形の壁の対向する二壁の各々の自由端部のディスク状情報記録媒体側に脚部を介して突出した突出部が形成され、前記二壁の一方の前記挿入孔が形成された側の壁の自由端部と脚部との連接部が肉盛りされていると共に、ハーフシェル側に設けられたレール状の凸状突起の前記スライダーの肉盛りされた部分と対向する部分に肉盛りされた形状に合わせた面取りが施されていることを特徴とするディスクカートリッジ。
【発明の詳細な説明】
【０００１】
【発明の属する技術分野】
本発明は、ディスクカートリッジに関し、更に詳しくは、ディスクカートリッジに設けられるヘッド挿入穴及びスピンドル挿入穴を開閉可能に覆うためのシャッターを固定するスライダーとハーフシェルの構造に関するものである。
【０００２】
【従来の技術】
一般に、フロッピーディスク装置等の記録，再生装置の情報記録媒体として、カートリッジケース内に光ディスク等のディスク状情報記録媒体を回転自在に収納したディスクカートリッジが使用されている。ディスクカートリッジのカートリッジケースには、記録，再生装置の情報の読み取り及び書き込み用ヘッドが挿入されるヘッド挿入穴とディスク状情報記録媒体を回転させる駆動用スピンドルが挿入されるスピンドル挿入穴とが形成されており、このヘッド挿入穴とスピンドル挿入穴を開閉するシャッターが取り付けられている。このシャッターは、断面が略コの字形をしており、スライダーに固着され、カートリッジケースの一側縁に沿って摺動可能に取り付けられている。また、スライダーは一方向に付勢する弾性部材で、非使用時には前記ヘッド挿入穴とスピンドル挿入穴を閉鎖する位置に保持されている。
【０００３】
前記弾性部材には、一般的にねじりコイルバネが用いられ、前記ねじりコイルバネの一方の端部係合部が前記スライダーの本体部の開方向側端部に形成された割り溝を有する挿入孔に挿入されると共に該挿入孔の奥端部に形成された窓部に前記端部係合部が係合している。また、前記ねじりコイルバネの他方の端部係合部がカートリッジケースの内側に設けられた係合溝に係合している。このように、前記ねじりコイルバネの両端部の係合部がスライダーに形成された窓部及びカートリッジケースの内側に形成された係合溝と係合することにより、スライダーとスライダーに固着されたシャッターが、一方向に付勢され、非使用時には前記ヘッド挿入穴とスピンドル挿入穴を閉鎖する位置に保持されている。
【０００４】
また、前記スライダーの本体部の閉方向側端部にはシャッターを開閉するための記録，再生装置の開閉ピンと係合する係合突起部と前記閉方向側端部のディスク状情報記録媒体側に脚部を介して突出した突出部とが形成され、前記係合突起部と突出部を支持するレール状の支持突起がハーフシェル側の前記係合突起部と突出部を支持する位置に形成され、これによりスライダーとスライダーに固着されたシャッターがカートリッジケースの一側縁の上側へ外れることを防止している。また、前記スライダーの本体部の開方向側端部には割り溝を有する挿入孔を形成する略コの字形の壁があり、前記略コの字形の壁の対向する二壁の各々の自由端部のディスク状情報記録媒体側に脚部を介して突出した突出部が形成され、前記突出部と嵌合する凹状のガイド溝及び前記凹状のガイド溝を構成するレール状の凸状突起がハーフシェルの内側の前記突出部と対向する位置に形成され、これによりスライダーとスライダーに固着されたシャッターが開閉方向に摺動可能に案内されると共にカートリッジケースの一側縁の上側へ外れることを防止している。
【０００５】
ところで、前記スライダーの本体部の開方向側端部に設けられた割り溝を有する挿入孔を形成する略コの字形の壁は、Ｌ字形状に形成されたねじりコイルバネの端部係合部が挿入される挿入孔を形成すると共に前記略コの字形の壁の対向する二壁のうちの一壁には前記挿入孔と繋がり前記ねじりコイルバネのＬ字形状の端部係合部が係合する窓部が形成され、前記窓部が形成された一壁は前記一壁と対向する位置にある他の一壁よりも肉厚が薄い図１１に示す構造になっている。これは、前記割り溝がねじりコイルバネの腕部を通過可能にしていると共に前記スライダーにねじりコイルバネの偏った力が加わらないようにスライダーの中央部に設けられ、かつ、Ｌ字形状に形成されたねじりコイルバネの端部係合部が挿入される挿入孔が、この割り溝を含んだ形で構成されているためである。
【０００６】
しかし、上記のようにスライダーの本体部の開方向側端部に設けられた割り溝を有する挿入孔を形成する略コの字形の壁の対向する二壁のうちの窓部を有する側の一壁の肉厚を薄く構成したことにより、通常の使用においては何ら問題は発生しないが、ディスクカートリッジに落下等の衝撃が加わった時に、この肉厚の薄い一壁の自由端部のディスク状情報記録媒体側に連接して形成されている脚部と突出部に異常な負荷がかかり、頻度は極めて少ないものの前記肉厚の薄い一壁の自由端部と脚部の連接部で折れるという問題が発生する。
【０００７】
【発明が解決しようとする課題】
そこで本発明は、上記のような問題を解決するためになされたものであり、その目的とするところは、ディスクカートリッジに落下等の衝撃が加わった場合においても、スライダーの本体部の開方向側端部に設けられた割り溝を有する挿入孔を形成する略コの字形の壁の対向する二壁のうちの肉厚の薄い一壁の自由端部のディスク状情報記録媒体側に連接して形成されている脚部と突出部が、その連接部で折れることがないディスクカートリッジを提供することにある。
【０００８】
【課題を解決するための手段】
本発明者は、上記のような問題点を解決すべく種々研究した結果、ディスク状情報記録媒体を内部に収納し、記録，再生装置の情報の読み取り及び書き込み用のヘッドが挿入されるヘッド挿入穴と前記ディスク状情報記録媒体を回転させる記録，再生装置の駆動用スピンドルが挿入されるスピンドル挿入穴とを有する互いに対向する上下一対のハーフシェルからなり、前記ハーフシェルの一側縁に沿って摺動可能に設けられたスライダーと、該スライダーを一方向に付勢する弾性部材と、該スライダーに固着され、前記ヘッド挿入穴とスピンドル挿入穴とを開閉する、断面が略コの字形をしたシャッターとを備えたディスクカートリッジにおいて、前記スライダーは本体部の長手方向の閉方向側端部に前記シャッターを開閉するための記録，再生装置の開閉ピンと係合する係合突起部と前記閉方向側端部のディスク状情報記録媒体側に脚部を介して突出した突出部とが形成され、前記スライダーの本体部の長手方向の開方向側端部に前記弾性部材の端部係合部を挿入すると共に、前記端部係合部と繋がっている前記弾性部材の腕部が通過可能な割り溝を有する挿入孔を形成する略コの字形の壁があり、前記略コの字形の壁の対向する二壁の各々の自由端部のディスク状情報記録媒体側に脚部を介して突出した突出部が形成され、前記二壁の一方の前記挿入孔が形成された側の壁の自由端部と脚部との連接部が肉盛りされていると共に、ハーフシェル側に設けられたレール状の凸状突起の前記スライダーの肉盛りされた部分と対向する部分に肉盛りされた形状に合わせた面取りが施されていることが上記課題を解決する手段であることを見出して、本発明を完成させたものである。
【０００９】
【発明の実施の形態】
上記の本発明について、図面等を用いて以下に更に詳しく説明する。
まず、本発明のディスクカートリッジのスライダーについて、図面を用いて示すと、図１は本発明のディスクカートリッジを表側から見た図、図２は図１のハーフシェル４の内側平面図、図３は本発明のディスクカートリッジのスライダーの実施形態を示す側面図、図４は図３の上側（図面上）から見た図、図５は図３の下側（図面上）から見た図、図６は図３の左側（図面上）から見た図、図７は図３の右側（図面上）から見た第１の実施形態を示す図、図８は図３の右側（図面上）から見た第２の実施形態を示す図、図９は本発明の第１の実施形態を示す図１のＸーＸ線の断面図、図１０は本発明の第２の実施形態を示す図１のＸーＸ線の断面図であり、図中の１はディスクカートリッジ、２はカートリッジケース、３は一側縁、４，５はハーフシェル、４ａはレール状の支持突起、４ｂ，  ５ｂは凹状のガイド溝、４ｃ，  ５ｃはレール状の凸状突起、４ｄは係合溝、６はディスク状情報記録媒体、６ａはハブ、７はヘッド挿入穴、８はシャッター、９は窓部、１０はスライダー、１０ａ  はスライダーの本体部、１１は係合突起部、１２，１３，１４は突出部、１２ａ，１３ａ，１４ａ  は脚部、１５，１５’は肉盛り部、１６，１６’は面取り部、２０はねじりコイルバネ、３０は割り溝、４０は挿入孔、４１，４２  は挿入孔の対向する二壁、Ｐは開閉ピンをそれぞれ示す。
【００１０】
図１は、本発明のディスクカートリッジを表側から見た図であって、ディスクカートリッジ１は、フロッピーディスク装置等の記録，再生装置のディスク状情報記録媒体として使用されるものであり、互いに対向する上下一対の合成樹脂製のハーフシェル４及び５（図示せず）によって形成されたカートリッジケース２内にディスク状情報記録媒体６が回転自在に収納され、カートリッジケース２には、記録，再生装置の情報の読み取り及び書き込み用のヘッドが挿入されるヘッド挿入穴７とディスク状情報記録媒体６の中心部に設けられているハブ６ａを保持し回転させる記録，再生装置の駆動用スピンドルが挿入されるスピンドル挿入穴（図示せず）とが形成されている。
【００１１】
また、カートリッジケース２には、ヘッド挿入穴７とスピンドル挿入穴（図示せず）とを開閉する、断面が略コの字形をしたシャッター８が取り付けられている。前記シャッター８は、カートリッジケース２の一側縁３に沿って摺動可能に設けられたスライダー１０に固着されている。また、このスライダー１０は、弾性部材であるねじりコイルバネ２０により、常時一方向に弾性付勢されていて、非使用時において前記シャッター８が前記ヘッド挿入穴７とスピンドル挿入穴（図示せず）を覆うように構成されている。使用時においては、開閉ピンＰがスライダー１０の本体部１０ａ  に設けられた係合突起部１１を押すことにより、スライダー１０とスライダー１０に取り付けられたシャッター８が図１上において右から左に移動して、シャッター８がヘッド挿入穴７とスピンドル挿入穴（図示せず）を開くように構成されている。
【００１２】
図２は図１のハーフシェル４の内側平面図であって、カートリッジケース２の一側縁３側にスライダー１０（図３  〜８  に図示）の本体部１０ａ  の閉方向側端部に設けられた係合突起部１１と前記本体部１０ａ  の閉方向側端部に脚部１２ａ  を介して設けられた突出部１２とを支持するレール状の支持突起４ａが形成され、スライダー１０とスライダー１０に固着されたシャッター８が前記レール状の支持突起４ａに支持されて摺動可能に構成され、カートリッジケース２から図２上において上側へ外れるのを防止すると共にディスク状情報記録媒体側に入り込むのを防いでいる。
【００１３】
また、スライダー１０（図３  〜８  に図示）の本体部１０ａ  の開方向側端部に割り溝３０を有する挿入孔４０を形成する略コの字形の壁の対向する二壁４１，４２  の自由端部のディスク状情報記録媒体側に脚部１３ａ，１４ａ  を介して突出した突出部１３，１４と嵌合する凹状のガイド溝４ｂ，５ｂ  （図示せず）及び前記凹状のガイド溝を構成するレール状の凸状突起４ｃ，５ｃ  （図示せず）が形成され、これによりスライダー１０（図３  〜８  に図示）とスライダー１０に固着されたシャッター８が開閉方向に摺動可能に案内されるように構成されると共にスライダー１０（図３  〜８  に図示）とスライダー１０に固着されたシャッター８がカートリッジケース２から外れるのを防止している。さらに、ねじりコイルバネ２０の端部係合部と係合するカートリッジケース２側の係合溝４ｄが形成されている。
【００１４】
図３は本発明のディスクカートリッジのスライダーの実施形態を示す側面図、図４は図３の上側（図面上）から見た図、図５は図３の下側（図面上）から見た図、図６は図３の左側（図面上）から見た図、図７は図３の右側（図面上）から見た第１の実施形態を示す図、図８は図３の右側（図面上）から見た第２の実施形態を示す図、図９は本発明の第１の実施形態を示す図１のＸーＸ線の断面図、図１０は本発明の第２の実施形態を示す図１のＸーＸ線の断面図であって、図３、４、５においてスライダー１０の左側端部が閉方向側端部を示し、右側端部が開方向側端部を示している。スライダー１０の本体部１０ａ  の閉方向側端部には、シャッター８を開閉するための記録，再生装置の開閉ピンと係合する係合突起部１１が形成されると共に脚部１２ａ  を介して突出部１２が形成され、前記係合突起部１１と突出部１２とがカートリッジケース２のハーフシェル４に設けられたレール状の支持突起４ａおよびハーフシェル５に設けられたレール状の支持突起に支持されるように構成されている。これによりスライダー１０とスライダー１０に固着されたシャッター８がカートリッジケース２から外れることを防止することができる。
【００１５】
また、スライダー１０の本体部１０ａ  の開方向側端部には、弾性部材であるねじりコイルバネ２０（図示せず）の端部係合部と係合する窓部９が形成されると共に、前記ねじりコイルバネ２０（図示せず）の腕部が通過可能な割り溝３０を有する挿入孔４０を形成する略コの字形の壁があり、前記略コの字形の壁の対向する二壁４１，４２  の自由端部に、脚部１３ａ，１４ａ  を介して突出部１３，１４  が形成されている。前記突出部１３がハーフシェル４の内側に設けられたスライダー１０を開閉方向に導く凹状のガイド溝４ｂ及び前記凹状のガイド溝４ｂを構成するレール状の凸状突起４ｃと、また、前記突出部１４がハーフシェル５の内側に設けられたスライダー１０を開閉方向に導く凹状のガイド溝５ｂ及び前記凹状のガイド溝５ｂを構成するレール状の凸状突起５ｃと各々対応して嵌合するように構成されている。
【００１６】
図７は図３の右側（図面上）から見た第１の実施形態を示す図、図９は本発明の第１の実施形態を示す図１のＸーＸ線の断面図であって、割り溝３０を有する挿入孔４０を形成する略コの字形の壁の対向する二壁４１，４２  のねじりコイルバネの端部係合部と係合する窓部が形成されている側の肉厚の薄い一壁４２の自由端部のディスク状情報記録媒体側に脚部１４ａ  を介して突出した突出部１４が形成され、前記一壁４２の自由端部と脚部１４ａ  の連接部に肉盛りされた肉盛り部１５が形成されている。また、前記肉盛り部１５と接するハーフシェル５の内側に設けられたスライダー１０を開閉方向に導く凹状のガイド溝５ｂを構成するレール状の凸状突起５ｃの角部が前記肉盛り部１５の形状に合わせて直線状に面取りが施されて、面取り部１６を形成している。
【００１７】
図８は図３の右側（図面上）から見た第２の実施形態を示す図、図１０は本発明の第２の実施形態を示す図１のＸーＸ線の断面図であって、肉盛り部１５’がアール状に肉盛りされている場合を示している。この場合、当然のことであるが、肉盛り部１５’と接するハーフシェル５の内側に設けられたスライダー１０を開閉方向に導く凹状のガイド溝５ｂを構成するレール状の凸状突起５ｃの角部が前記肉盛り部１５’の形状に合わせてアール状に面取りが施されて、アール状の面取り部１６’  を形成している。
【００１８】
上記の第１、第２の実施形態で示したように、割り溝３０を有する挿入孔４０を形成する略コの字形の壁の対向する二壁４１，４２  のねじりコイルバネの端部係合部と係合する窓部が形成されている側の肉厚の薄い一壁４２の自由端部のディスク状情報記録媒体側の脚部１４ａ  の連接部を肉盛りすることにより、ディスクカートリッジ１に落下等の衝撃が加わった場合においても、前記一壁４２の自由端部と脚部１４ａ  との連接部で折れることが皆無になる。
【００１９】
【発明の効果】
本発明のディスクカートリッジは、上記に詳しく説明したように、ディスクカートリッジに落下等の衝撃が加わった場合においても、スライダーの本体部の開方向側端部に設けられた割り溝を有する挿入孔を形成する略コの字形の壁の対向する二壁のうちの肉厚の薄い一壁の自由端部のディスク状情報記録媒体側に連接して形成されている脚部と突出部が、前記肉厚の薄い一壁の自由端部と脚部の連接部で折れることを完全に防止することができるものである。
【図面の簡単な説明】
【図１】本発明にかかるディスクカートリッジを表側から見た図である。
【図２】図１のハーフシェル４の内側平面図である。
【図３】本発明にかかるディスクカートリッジの実施形態を示す図である。
【図４】図３の上側（図面上）から見た図である。
【図５】図３の下側（図面上）から見た図である。
【図６】図３の左側（図面上）から見た図である。
【図７】図３の右側（図面上）から見た第１の実施形態を示す図である。
【図８】図３の右側（図面上）から見た第２の実施形態を示す図である。
【図９】本発明にかかる第１の実施形態を示す図１のＸーＸ線の断面図である。
【図１０】本発明にかかる第２の実施形態を示す図１のＸーＸ線の断面図である。
【図１１】図７の従来の実施形態を示す図である。
【符号の説明】
１          ディスクカートリッジ
２          カートリッジケース
３            一側縁
４，５      ハーフシェル
４ａ          レール状の支持突起
４ｂ，  ５ｂ      凹状のガイド溝
４ｃ，  ５ｃ      レール状の凸状突起
４ｄ          係合溝
６            ディスク状情報記録媒体
６ａ          ハブ
７          ヘッド挿入穴
８          シャッター
９          窓部
１０          スライダー
１０ａ          スライダーの本体部
１１          係合突起部
１２，１３，１４    突出部
１２ａ，１３ａ，１４ａ  脚部
１５，１５’      肉盛り部
１６，１６’        面取り部
２０          ねじりコイルバネ
３０          割り溝
４０          挿入孔
４１，４２          壁
Ｐ          開閉ピン
【図１】
0003615341.tif 000002
【図２】
0003615341.tif 000003
【図３】
0003615341.tif 000004
【図４】
0003615341.tif 000005
【図５】
0003615341.tif 000006
【図６】
0003615341.tif 000007
【図７】
0003615341.tif 000008
【図８】
0003615341.tif 000009
【図９】
0003615341.tif 000010
【図１０】
0003615341.tif 000011
【図１１】
0003615341.tif 000012